(57)【特許請求の範囲】
【請求項１】
アクセサリー（Ａ）を収容し得るボックス本体（１）と、このボックス本体（１）にヒンジ（３）を介して結合されてボックス本体（１）の開口部を開閉するボックス蓋体（２）と、ボックス蓋体（２）に付設されてボックス本体（１）内を照明するランプ（１５）と、ボックス本体（１）及びボックス蓋体（２）の一方に取り付けられる電池（１３）と、ボックス蓋体（２）の開・閉に連動して電池（１３）及びランプ（１５）間の電気回路（２１〜２３）をオン・オフするスイッチ（１７）とを備えてなる、アクセサリーボックスであって、
前記アクセサリー（Ａ）を支持する支持台（１２）をボックス本体（１）に設け、また前記ランプ（１５）を取り付ける化粧天板（１４）をボックス蓋体（２）に設け、前記スイッチ（１７）を前記ヒンジ（３）に設けると共に、これらヒンジ（３）及びスイッチ（１７）を覆う可撓性の化粧カバー（１９）を前記支持台（１２）及び化粧天板（１４）間に接続したものにおいて、
前記ヒンジ（３）には、ボックス蓋体（２）の所定の中間開度未満の開度位置ではボックス蓋体（２）を閉じ方向に、また前記中間開度以上の開度位置ではボックス蓋体（２）を開き方向に付勢するトグルスプリング（７）を接続し、このトグルスプリング（７）に第１接点（１８）を付設し、この第１接点（１８）と協働して前記スイッチ（１７）を構成する第２接点を前記ヒンジ（３）で兼用させたことを特徴とするアクセサリーボックス。
【発明の詳細な説明】
【技術分野】
【０００１】
本発明は、指輪やネックレス、イヤリング等のアクセサリーを収容し得るボックス本体と、このボックス本体にヒンジを介して結合されてボックス本体の開口部を開閉するボックス蓋体と、ボックス蓋体に付設されてボックス本体内を照明するランプと、ボックス本体及びボックス蓋体の一方に取り付けられる電池と、ボックス蓋体の開・閉に連動して電池及びランプ間の電気回路をオン・オフするスイッチとを備えてなる、アクセサリーボックスの改良に関する。
【背景技術】
【０００２】
かゝるアクセサリーボックスは、特許文献１に開示されるように既に知られている。
【特許文献１】特開平２００１−２１１９２２号公報
【発明の開示】
【発明が解決しようとする課題】
【０００３】
従来のアクセサリーボックスでは、ボックス蓋体にスイッチを、該スイッチの作動ピンがボックス蓋体の下端面から突出するように設け、ボックス蓋体を閉じると、作動ピンがボックス本体の上端面で押圧されることでスイッチをオフ状態にし、ボックス蓋体を開けると、作動ピンが突出してスイッチをオフ状態にするようになっている。
【０００４】
ところで、こうしたものでは、ボックス蓋体の開放状態でスイッチの作動ピンが露出するので、見苦しく、高価なアクセサリーを収めるアクセサリーボックスの外観を損なうことになる。
【０００５】
本発明は、かゝる事情に鑑みてなされたもので、ボックス蓋体の開放時、外観を損なうことなくボックス本体内を照明し得るようにした前記アクセサリーボックスを提供することを目的とする。
【課題を解決するための手段】
【０００６】
上記目的を達成するために、本発明は、アクセサリーを収容し得るボックス本体と、このボックス本体にヒンジを介して結合されてボックス本体の開口部を開閉するボックス蓋体と、ボックス蓋体に付設されてボックス本体内を照明するランプと、ボックス本体及びボックス蓋体の一方に取り付けられる電池と、ボックス蓋体の開・閉に連動して電池及びランプ間の電気回路をオン・オフするスイッチとを備えてなる、アクセサリーボックスであって、前記アクセサリーを支持する支持台をボックス本体に設け、また前記ランプを取り付ける化粧天板をボックス蓋体に設け、前記スイッチを前記ヒンジに設けると共に、これらヒンジ及びスイッチを覆う可撓性の化粧カバーを前記支持台及び化粧天板間に接続したものにおいて、前記ヒンジには、ボックス蓋体の所定の中間開度未満の開度位置ではボックス蓋体を閉じ方向に、また前記中間開度以上の開度位置ではボックス蓋体を開き方向に付勢するトグルスプリングを接続し、このトグルスプリングに第１接点を付設し、この第１接点と協働して前記スイッチを構成する第２接点を前記ヒンジで兼用させたことを特徴とする。
【発明の効果】
【０００７】
本発明によれば、ランプを点灯及び消灯を制御するスイッチをヒンジに設けると共に、これらヒンジ及びスイッチを覆う可撓性の化粧カバーを支持台及び化粧天板間に接続したので、スイッチによりアクセサリーボックスの外観を損なうことが全くなく、アクセサリーボックスの高級感を保持することができる。
【０００８】
また特にスイッチは、ボックス蓋体の閉鎖状態及び開放状態を保持するトグルスプリングに付設される第１接点と、これに対応する第２接点を兼ねるヒンジとで構成されることになるから、スイッチの構造が簡単で、これを安価に得ることができる。
【発明を実施するための最良の形態】
【０００９】
本発明の実施の形態を、添付図面に示す本発明の好適な実施例に基づいて以下に説明する。
【００１０】
図１はボックス蓋体の閉鎖状態で示す、本発明に係るアクセサリーボックスの縦断側面図、図２はボックス蓋体の開放状態で示す同アクセサリーボックスの縦断側面図、図３は支持台及び化粧天板を取り外してアクセサリーボックス内の照明ランプ及びその電気回路を示す正面図、図４は上記電気回路の分解図である。
【００１１】
先ず図１及び図２において、アクセサリーボックスＢは、上面を開放したボックス本体１と、このボックス本体１に左右一対のヒンジ３を介して結合されてボックス本体１の開口部を開閉するボックス蓋体２とを備える。これらボックス本体１及びボックス蓋体２の形状は任意であるが、図示例の場合、平面視でハート形に形成される。
【００１２】
図１〜図４に示すように、各ヒンジ３は、ボックス本体１及びボックス蓋体２の相対応する一側縁部にそれぞれ固着される第１ヒンジアーム４及び第２ヒンジアーム５と、両ヒンジアーム４，５を相対回動可能に連結するヒンジピン６とで構成され、両ヒンジアーム４，５間にはトグルスプリング７が接続される。
【００１３】
このトグルスプリング７は、自由状態でヒンジピン６を跨ぐようにＵ字状をなしていて、ボックス蓋体２の所定の中間開度を境にして、ボックス蓋体２が閉じ側に位置するときは、それを閉じ方向に付勢し、ボックス蓋体２が開き側に位置するときは、それを開き方向に付勢するようになっている。
【００１４】
ボックス本体１には、その内部を下部の電池室１０と上部のアクセサリー室１１とに仕切る支持台１２が着脱可能に取り付けられ、その電池室１０には電池１３が設置され、支持台１２には、アクセサリー室１１に収容される指輪やネックレス、イヤリング等のアクセサリーＡを支持する凹部又はスリット等の支持部１２ａが形成される。
【００１５】
一方、ボックス蓋体２には、その天井面を覆う化粧天板１４が着脱可能に取り付けられ、この化粧天板１４に、ボックス本体１のアクセサリー室１１内を照明するためのＬＥＤよりなるランプ１５が取り付けられる。
【００１６】
トグルスプリング７の中間部は、ボックス蓋体２の閉鎖位置では前記ヒンジ３のヒンジピン６周りから離間し、ボックス蓋体２の開放位置では該ヒンジピン６周辺部に接触するようになっており、左右何れか一方のトグルスプリング７の該中間部に第１接点１８が絶縁材を介して固着される。したがって、この第１接点１８は、ボックス蓋体２の閉鎖位置では対応するヒンジピン６周りから離間し（図１参照）、ボックス蓋体２の開放位置ではヒンジピン６周辺部に接触することになる（図２参照）。而して、第１接点１８が接触する導電性のヒンジ３は、第１接点１８と協働してスイッチ１７を構成する第２接点を兼用する。
【００１７】
第１接点１８と前記電池１３の陽極との間に第１リード線２１が接続される。また第２接点即ちヒンジ３と前記ランプ１５の一方の極との間に第２リード線２２が接続される。さらにランプ１５の他方の極と電池１３の陰極との間に第３リード線２３が接続される。
【００１８】
上記第１〜第３リード線２１〜２３は、ボックス本体１及びボックス蓋体２の内壁に配線されて支持台１２及び化粧天板１４により覆われる。また前記ヒンジ３、トグルスプリング７及びスイッチ１７は、ボックス本体１及びボックス蓋体２間を接続する化粧カバー１９によって覆われる。この化粧カバー１９は、ボックス蓋体２の開閉動作に応じて撓む可撓性を有する。
【００１９】
次に、この実施例の作用について説明する。
【００２０】
図１に示すように、ボックス蓋体２の閉鎖状態では、トグルスプリング７は、ボックス蓋体２にその閉鎖状態を保持するように付勢力を及ぼすと共に、第１接点１８をヒンジ３のヒンジピン６周りから離間させている。したがって、スイッチ１７はオフ状態となるので、ランプ１５は消灯状態となっている。
【００２１】
ボックス蓋体２を開放していくと、それが所定の中間開度を超えてからは、図２に示すように、トグルスプリング７は、その付勢力をボックス蓋体２の開き方向に作用させると共に、第１接点１８を対応するヒンジ３のヒンジピン６周辺部に接触させるので、スイッチ１７はオン状態となってランプ１５が点灯し、この照明によりボックス本体１の支持台１２上のアクセサリーＡに輝きを与えて、高級感を醸し出すことができる。
【００２２】
ところで、ボックス蓋体２の開・閉に応じてランプ１５を点灯・消灯させるスイッチ１７は、ボックス本体１及びボックス蓋体２間を連結するヒンジ３に設けられ、そしてこのヒンジ３と共に、支持台１２及び化粧天板１４間を接続する可撓性の化粧カバー１９により覆われるから、このスイッチ１７によりアクセサリーボックスＢの外観を損なうことは全くなく、アクセサリーボックスＢの高級感を保持することができる。
【００２３】
しかもスイッチ１７は、ボックス蓋体２の閉鎖状態及び開放状態を保持するトグルスプリング７に付設される第１接点１８と、これに対応する第２接点を兼ねるヒンジ３とで構成されるので、その構造が簡単で、安価に得ることができる。
【００２４】
以上、本発明の実施例について説明したが、本発明はそれに限定されることなく、その要旨を逸脱しない範囲で種々の設計変更が可能である。例えば、電池１３は、ボックス蓋体２の化粧天板１４の裏側に設置することもできる。
【図面の簡単な説明】
【００２５】
【図１】ボックス蓋体の閉鎖状態で示す、本発明に係るアクセサリーボックスの縦断側面図である。
【図２】ボックス蓋体の開放状態で示す同アクセサリーボックスの縦断側面図である。
【図３】支持台及び化粧天板を取り外してアクセサリーボックス内の照明ランプ及びその電気回路を示す正面図である。
【図４】上記電気回路の分解図である。
【符号の説明】
【００２６】
Ａ・・・・・アクセサリー
Ｂ・・・・・アクセサリーボックス
１・・・・・ボックス本体
２・・・・・ボックス蓋体
３・・・・・ヒンジ（スイッチの第２接点を兼ねる）
７・・・・・トグルスプリング
１２・・・・支持台
１３・・・・電池
１４・・・・化粧天板
１５・・・・ランプ
１７・・・・スイッチ
１８・・・・スイッチの第１接点
１９・・・・化粧カバー
２１〜２３・・・電気回路（第１〜第３リード線）
【図１】
0004625409.tif 000002
【図２】
0004625409.tif 000003
【図３】
0004625409.tif 000004
【図４】
0004625409.tif 000005